(57)【要約】本発明は、検査する生体組織範囲に光が照射され、検査する組織範囲から生じた反射光が、分光器に送られ、反射光の強度を、波長に割り当てることによって示される測定信号が、分光器によって発生し、測定がある時間を通して行われ、この時間の範囲内で、検査される組織断片内のヘモグロビンの存在が組織圧の変化によって活発に変化するように、測定が進められ、様々な組織圧に対して連続して測定されるスペクトルから、ヘモグロビン濃度によって引き起こされるスペクトルの変化が測定され、これらの様々なスペクトルから、この組織断片に含まれる選択物質の濃度が算出される、という分光測定信号発生方法である。【選択図】図１
2011528234.tif 000002
【特許請求の範囲】
【請求項１】
分光測定信号の発生方法であって、
検査する生体組織範囲に光が照射され、
検査する前記組織範囲から生じた反射光が、分光器に送られ、
前記反射光の強度を、波長に割り当てることによって示される前記測定信号が、前記分光器によって発生し、
測定がある時間（Ｔ）を通して行われ、この時間の範囲内で、検査される組織断片内のヘモグロビンの存在が組織圧の変化によって活発に変化するように、測定が進められ、
様々な組織圧に対して連続して測定されるスペクトルから、ヘモグロビン濃度によって引き起こされるスペクトルの変化が測定され、これらの様々なスペクトルから、この前記組織断片に含まれる選択物質の濃度が算出されることを特徴とする方法。
【請求項２】
前記組織圧が、気体状の媒体による局所的な加圧により変化することを特徴とする、請求項１に記載の方法。
【請求項３】
弾性的なふいご型システムを使用して加圧が行われることを特徴とする、請求項２に記載の方法。
【請求項４】
前記ふいご型システムが測定ヘッドに接続され、前記測定ヘッドが光源及び光ピックアップ装置を含んでいることを特徴とする請求項３に記載の方法。
【請求項５】
前記組織圧を、徐々に上昇させることを特徴とする、請求項１〜４の少なくともいずれか一項に記載の方法。
【請求項６】
それぞれの組織圧レベルに対して、前記反射光の１つのスペクトルが記録されることを特徴とする、請求項１〜５の少なくともいずれか一項に記載の方法。
【請求項７】
連続して発生する前記スペクトルを記録するため、データフィールドが置かれ、前記データフィールドには、それぞれ解析された波長値に対して、前記強度又は光の密度及び前記組織圧を含むデータが含まれることを特徴とする、請求項１〜６の少なくともいずれか一項に記載の方法。  
【請求項８】
メモリ装置と評価回路とを備える移動分光器であって、
検査する生体組織範囲に光が照射され、
検査する前記組織範囲から生じた反射光が、前記分光器に送られ、
前記反射光の強度を、波長に割り当てることによって示された測定信号が、前記分光器によって発生し、
検査する前記組織範囲の圧力を変更する加圧装置が設けられ、
前記分光器が、様々な前記組織圧において測定された多数の前記スペクトルを記録することを特徴とする移動分光器。
【発明の詳細な説明】
【技術分野】
【０００１】
本発明は、生体組織から測定信号を発生させる、特に、血管内のヘモグロビンを送る組織の成分組成を検出する方法及び測定装置に関する。
【背景技術】
【０００２】
該当する組織範囲に移動分光器を取り付け、この移動分光器によって、組織から発生する反射光のスペクトルを記録することにより、生体組織の分析を行う測定方法が知られている。記録されたスペクトルに基づき、検査された組織範囲に存在する様々な物質を検知することができる。
【発明の概要】
【発明が解決しようとする課題】
【０００３】
本発明は、分光測定法において、特に、血管を形成する組織系の成分の存在又は濃度に関して包括的な情報をもたらす測定値が得られる方法を提供するという課題に基づいている。
【課題を解決するための手段】
【０００４】
この課題は、本発明に基づき、以下の分光測定信号発生方法によって解決される。
-検査する生体組織範囲に光が照射される。
-検査する組織範囲から生じる反射光が、分光器へ送られる。
-反射光の強度を、波長に割り当てることによって示される測定信号が、分光器によって発生する。
-測定がある時間（Ｔ）を通して行われ、この時間の範囲内で、検査される組織断片内のヘモグロビンの存在が組織圧の変化によって活発に変化するように、測定が進められる。
-様々な組織圧に対して連続して測定されるスペクトルから、ヘモグロビン濃度によって引き起こされるスペクトルの変化が測定され、これらの様々なスペクトルから、この組織断片に含まれる選択物質の濃度が算出される。
【０００５】
これによって、有利なことに、比較的狭い時間間隔の連続測定の中で、検査中の組織断片について多数のスペクトルを発生させることが可能となり、これらのスペクトルには、引き起こされた組織圧の変化により互いに違い（差）が生じ、この違いは、検査される組織系の静的な（定常状態での）血管形成部分において、準定常状態の検出物質の濃度を特定するのに十分である。
【０００６】
本発明の特に好ましい実施形態に従って、検査される組織範囲に励起される圧力変化は、気体状の圧力媒体による組織範囲への加圧によって行われる。
【０００７】
この圧力媒体、特に空気は、光測定ヘッドに接続されている弾性的なベル（ふいご）型システムによって加えられるのが好ましい。これを弾性変形させ、保持されている空気を圧縮させることにより、圧力を発生させることができる。ここで設定される圧力は、測定ヘッドに取り付けられている圧力センサによって検知することができる。
【０００８】
弾性的なベル型システムを取り付け、圧力を徐々に増加することによって、分光信号が発生する圧力レベルまで徐々に到達するように、弾性的なベル型システムを形成することができる。この場合、弾性的なベル型システムを取り付けて、約３０ｍｍ圧迫することにより、約１０００〜１７００ミリバールの範囲で圧力を調整することができる。この圧力範囲に対して、５０ミリバールの間隔で、それぞれのスペクトルが記録されるのが好ましい。
【０００９】
この圧力変化は、別の方法を使って、例えば、ウインドウエレメントを押し当てることにより（好ましくは並行して圧力測定を行いながら）、又は圧力ガスの供給により、又は吸引により、特に熱光源によって、機械的に引き起こすことができる。
【００１０】
光源は、測定ヘッドに組み込まれているのが好ましい。好ましいのは、検出物質の蛍光効果が確認されるように、光源から発生する光のスペクトルを調整することである。血液成分の検出には、この場合、特に近赤外領域付近の光が適している。
【００１１】
本発明のその他の詳細及び特徴は、図を用いた以下の説明によってなされる。
【図面の簡単な説明】
【００１２】
【図１】検査する組織断片に加える圧力を徐々に増加させながら、物質スペクトルを連続して発生させるための、本発明に基づく測定装置の図である。
【図２】弾性的なベル型システムの圧縮増加による組織圧上昇のグラフである。
【発明を実施するための形態】
【００１３】
図１は、分光測定信号を発生させるための測定装置の簡略図である。この測定装置は、好ましくはＬＥＤ光源として実装されている光源１と、ここでは説明のためにプリズムのマークだけが付けられている受信システム２とを含み、この受信システムにより、生体の組織断片Ｇから発生する光Ｌ１を検知することができる。
【００１４】
この受信システム２には、反射光Ｌ１の強度を、波長に割り当てることによって示す測定信号を発生させる分光器が含まれている。本発明に基づく測定装置は、検査する組織断片に加えられる圧力ｐが、比較的短時間の間に上昇するように作動し、組織内の圧力ｐの上昇によって、多数のスペクトルＳ１、Ｓ２．．．、Ｓ６が記録される。
【００１５】
異なる組織圧に対して連続して記録されるスペクトルから、相関関係を利用して、血管が形成されている組織範囲において、物質の成分に関して圧力の影響の少ない、特定の物質の濃度を算出することができる。
【００１６】
この物質の濃度は、組織圧の変化によって、この組織範囲におけるヘモグロビンの濃度が変化するという現象を利用して算出される。スペクトル特性について知られている物質の濃度を変化させることにより、この組織範囲に含まれている、ほぼ静的な（準定常状態の）その他の物質の（ほとんど変化しない）濃度を検出することが可能となる。組織系全体に含まれているヘモグロビン濃度が変化すると、その濃度に応じて、特に近赤外領域及び中赤外領域において、この物質の吸収量が変化する。この効果は、本発明に基づき、ほぼ静的に、検査する組織断片に含まれている物質の定量化に用いられる。本発明に基づき、検査する組織の圧力は、周知のスペクトル特性を備える物質濃度の変化に応じて変化させ、同時に、好ましくは比較的間隔の狭い、多数の圧力レベルに対して、吸収スペクトルが測定される。
【００１７】
ヘモグロビンの吸収率は、およそ数式１で示される。μｓは、ヘモグロビンが含まれている組織の、分散係数である。数式２が測定された主要スペクトルである場合、μａは、Ａに比例する。すなわち、数式３となる。μａが圧力によって変化しても、μｓは一定のままである。数式４から、外挿法によりμｓを決定することができる。μｓが分かっている場合、拡散理論を用いて、ヘモグロビン濃度を反復法で決定することができる。
【００１８】
数式１  μａ＝Σｃｉεｉ
数式２  Ａ＝ｌｏｇ（Ｒ０／Ｒｍ）
数式３  Ａ＝ｆｘμａ＋μｓ
数式４  Ａｉ＝ｆｘμａｉ＋μｓ
【図１】
2011528234.tif 000003
【図２】
2011528234.tif 000004
【国際調査報告】
2011528234.tif 000005
2011528234.tif 000006
2011528234.tif 000007
2011528234.tif 000008
2011528234.tif 000009
2011528234.tif 000010